(57)【要約】【課題】本発明は、電子機器などに装着されても光ディスクの装着性が良い光ディスク装置を提供することを目的とする。【解決手段】本発明は、筐体と、筐体に出没自在に設けられ回転駆動手段，光ピックを搭載したトレイと、筐体から所定量突出した際にトレイを筐体に対して係止する係止手段を設けた光ディスク装置である。その光ディスク装置と、入力部を有する本体部と、表示手段を搭載した表示部とを備え、表示部の上端部に光ディスク装置が装着されると共に、通常の使用により光ディスク装置のトレイが重力に抗して引き出されるように構成されたことを特徴とする電子機器であり、側方にトレイが突出することを防止できるので、側方における省スペース化を行うことができる。【選択図】図１
2005050432.tif 000002
【特許請求の範囲】
【請求項１】
筐体と、前記筐体に出没自在に設けられ回転駆動手段，光ピックを搭載したトレイと、前記筐体から所定量突出した際に前記トレイを前記筐体に対して係止する係止手段を設けたことを特徴とする光ディスク装置。
【請求項２】
筐体からのトレイの突出量は光ディスクをトレイに装着可能な状態となるまでとしたことを特徴とする請求項１記載の光ディスク装置。
【請求項３】
係止手段の係止力は、トレイの自重よりも大きくしたことを特徴とする光ディスク装置。
【請求項４】
筐体とトレイを出没自在とするように、前記筐体及びトレイとの間にレールが配置され、前記レールの両端部に設けられた係止孔及び前記筐体と前記トレイに設けられ前記係止孔に係止する突起部によって係止手段を構成したことを特徴とする請求項１記載の光ディスク装置。
【請求項５】
レールに設けられた係止孔の間に長孔を設け、前記長孔には、トレイと筐体が相対的に移動している際には、突起部は前記長孔に挿入されていることを特徴とする請求項４記載の光ディスク装置。
【請求項６】
筐体とトレイを出没自在とするように、前記筐体及びトレイとの間にレールが配置され、前記レールの両端部に設けられた突起部及び前記筐体と前記トレイに設けられ前記突起部が挿入される係止孔もしくは凹部によって係止手段を構成したことを特徴とする請求項１記載の光ディスク装置。
【請求項７】
筐体とトレイを出没自在とするように、前記筐体及びトレイとの間にレールが配置されるとともに、前記筐体にレールガイドが固定され、前記レールの両端部に設けられた突起部及び前記レールガイドと前記トレイに設けられ前記突起部が挿入される係止孔もしくは凹部によって係止手段を構成したことを特徴とする請求項１記載の光ディスク装置。
【請求項８】
筐体とトレイを出没自在とするように、前記筐体及びトレイとの間にレールが配置されるとともに、前記筐体にレールガイドが固定され、前記レールの両端部に設けられた係止孔及び前記レールガイドと前記トレイに設けられ前記係止孔に係止する突起部によって係止手段を構成したことを特徴とする請求項１記載の光ディスク装置。
【請求項９】
レールガイドを樹脂材料で構成したことを特徴とする請求項７，８いずれか１記載の光ディスク装置。
【請求項１０】
請求項１〜９いずれか１記載の光ディスク装置と、入力部を有する本体部と、表示手段を搭載した表示部とを備え、前記表示部の上端部に前記光ディスク装置が装着されると共に、通常の使用により前記光ディスク装置のトレイが重力に抗して引き出されるように構成されたことを特徴とする電子機器。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
図３は従来の光ディスク装置を示す斜視図で、図３において、２１は筐体で、筐体２１は上部筐体部と下部筐体部２１ａを組み合わせて構成されている（図３には説明の便宜上上部筐体部は省略している）。なお、上部筐体部と下部筐体部２１ａとは螺旋などを用いて、互いに固着されている。２２は筐体に出没自在に設けられたトレイ、２３はトレイ２２に設けられたスピンドルモータ、２４は光ピックで、光ピック２４は少なくとも図示していない光源や各光学部材を搭載し、光ディスクに光を照射することで、光ディスクに情報を書き込むか或いは情報を読み出す動作の少なくとも一方を行う。２５はトレイ２２の前端面に設けられたベゼルで、ベゼル２５はトレイ２２が筐体２１内に収納された時に、トレイ２２の出没口を塞ぐように構成されている。２６，２７はそれぞれトレイ２２及び筐体１の双方に摺動自在に取り付けられたレールで、トレイ２２の両側部にこのレール２６，２７は設けられており、このレール２６，２７にて図３で示す矢印Ｐ方向に筐体２１からトレイ２２が出没自在に取り付けられている。２８は筐体２１の奥部に固定して設けられた回路基板で、回路基板２８は信号処理系のＩＣや電源回路などが搭載されている。２９はトレイ２２に設けられた図示していない回路基板と回路基板２８とを電気的に接続するフレキシブルなプリント基板で、プリント基板２９は略Ｕ字型に形成され、３０は外部コネクタで、外部コネクタ３０はコンピュータ等の電子機器に設けられた電源／信号ラインと接続される。そして、この外部コネクタ３０を介して光ディスク装置内に電力を供給したり、或いは外部からの電気信号を光ディスク装置内に導いたり、あるいは光ディスク装置で生成された電気信号を電子機器などに送出する。
【０００３】
トレイ２２の前端面に設けられたベゼル２５にはイジェクトボタン３１が設けられており、このイジェクトスイッチ３１を押すことで、筐体２１に設けられた係合部（図示せず）とトレイ２２に設けられた係合部（図示せず）との係合を解除する。
【０００４】
３２はトレイ２２に可動自在に保持されたプッシュ板金で、プッシュ板金３２は図３で示す矢印Ｒ方向に図示していないスプリングなどの弾性手段によって付勢されている。
【０００５】
トレイ２２を筐体２２に手動で挿入していくと、プッシュ板金３２の先端部３２ａが筐体２２の奥部２１ｃに当接する。更にトレイ２２を筐体２１に挿入していくと、プッシュ板金３２をトレイ２２側に押し込む。更にこのプッシュ板金３２に設けられた弾性手段の弾性力に抗して所定量トレイ２２が筐体２１に挿入されると、前述の係合部同士が係合し、トレイ２２は筐体２１内部に収納されると共に、トレイ２２は筐体２１内部に保持され多少の外力ではトレイ２２は筐体２１から飛び出さない。
【０００６】
次に、イジェクトボタン３１を押下することで上記係合部間の係合が外れると、プッシュ板金３２は奥部２１ｃを押してトレイ２２を筐体２１から所定量以上突出させ、その後手動にてトレイ２２を引き出してスピンドルモータに光ディスクなどを取り付ける。
【０００７】
図３において、筐体２１のＡ−Ａ断面及びトレイ２２のＢ−Ｂ断面を図４に示す。図４に示すように、レール２６，２７は筐体２１及びトレイ２２に摺動自在に取り付けられている。
【０００８】
以上の様な構成によって、トレイ２２をモータなどの駆動手段を用いずに筐体２１から挿抜自在に設けられるので、薄型化や小型化を行うことができる。
【０００９】
上記光ディスク装置を電子機器に応用した場合を説明する。
【００１０】
図５において、３３はコンピュータなどの電子機器で、電子機器３３にはキーボードの入力部を有する本体部３４と液晶ディスプレーなどの表示部３５が設けられており、表示部３５の側部には光ディスク装置３６のトレイ２２が出没自在に設けられている。この様な形態の場合には、トレイ２２を矢印Ｈ方向に引き出しても、トレイ２２に加わる重力は矢印Ｇ方向であるので、トレイ２２を引き出した後にもトレイは筐体２１内に入り込むことなく、容易に光ディスクなどの媒体を装着することができる。
【００１１】
先行例としては、（特許文献１）がある。
【特許文献１】特開平１１−３９８４２号公報
【発明の開示】
【発明が解決しようとする課題】
【００１２】
図５に示すような電子機器３３においては、十分に対応できていたが、仕様やデザイン或いは機能上、図６に示すように表示部３５の上部に光ディスク装置３６を取り付ける可能性がある。
【００１３】
しかしながら、前記従来の構成では、トレイ２２を矢印Ｈ方向に引き上げると、矢印Ｇ方向に重力が加わることで、トレイ２２が自重で筐体２１内に戻り、光ディスクを装着する際に、一方の手でトレイ２２を引き出した状態に保持しておき、他方の手で光ディスクを装着しなければならず非常に装着性が悪かった。確かに、プッシュ板金３２を設けていることで、トレイ２２は手を離しても、わずかに筐体２１から突出し、その結果表示部３３の上部からわずかに突出する形態とはなるが、とても光ディスクを装着できるほどには突出しない。
【００１４】
また、（特許文献１）の様に、モータなどの駆動手段を設けて、トレイをメカ的に光ディスクを装着可能に突出させることはできるものの、近年の電子機器の薄型化や軽量小型によって、表示部３３等も薄型化を求められており、（特許文献１）の様な厚みのある光ディスク装置を表示部３３に取り付けることは困難である。
【００１５】
本発明は、上記従来の課題を解決するもので、電子機器などに装着されても光ディスクの装着性が良い光ディスク装置を提供することを目的とする。
【課題を解決するための手段】
【００１６】
本発明は、筐体と、筐体に出没自在に設けられ回転駆動手段，光ピックを搭載したトレイと、筐体から所定量突出した際にトレイを筐体に対して係止する係止手段を設けた。
【発明の効果】
【００１７】
本発明は、上記構成によって、トレイを筐体から一時的に保持させることができるので、光ディスクの装着性が良くなる。
【発明を実施するための最良の形態】
【００１８】
請求項１記載の発明は、筐体と、前記筐体に出没自在に設けられ回転駆動手段，光ピックを搭載したトレイと、前記筐体から所定量突出した際に前記トレイを前記筐体に対して係止する係止手段を設けたことを特徴とする光ディスク装置であり、トレイを筐体から一時的に保持させることができるので、光ディスクの装着性が良くなる。
【００１９】
請求項２記載の発明は、筐体からのトレイの突出量は光ディスクをトレイに装着可能な状態となるまでとしたことを特徴とする請求項１記載の光ディスク装置であり、光ディスクの装着が更に容易になる。
【００２０】
請求項３記載の発明は、係止手段の係止力は、トレイの自重よりも大きくしたことを特徴とする光ディスク装置であり、トレイを重力に抗して引き出しても筐体内にトレイが自重によって筐体内に戻ることはない。
【００２１】
請求項４記載の発明は、筐体とトレイを出没自在とするように、前記筐体及びトレイとの間にレールが配置され、前記レールの両端部に設けられた係止孔及び前記筐体と前記トレイに設けられ前記係止孔に係止する突起部によって係止手段を構成したことを特徴とする請求項１記載の光ディスク装置であり、簡単な構成で係止手段を構成できる。
【００２２】
請求項５記載の発明は、レールに設けられた係止孔の間に長孔を設け、前記長孔には、トレイと筐体が相対的に移動している際には、突起部は前記長孔に挿入されていることを特徴とする請求項４記載の光ディスク装置であり、レールの突起部と筐体，トレイとの摩耗を抑えることができるので、摩耗屑などの発生を防止し、スムーズなトレイの引き出しを行うことができる。
【００２３】
請求項６記載の発明は、筐体とトレイを出没自在とするように、前記筐体及びトレイとの間にレールが配置され、前記レールの両端部に設けられた突起部及び前記筐体と前記トレイに設けられ前記突起部が挿入される係止孔もしくは凹部によって係止手段を構成したことを特徴とする請求項１記載の光ディスク装置であり、簡単な構成で係止手段を構成できる。
【００２４】
請求項７記載の発明は、筐体とトレイを出没自在とするように、前記筐体及びトレイとの間にレールが配置されるとともに、前記筐体にレールガイドが固定され、前記レールの両端部に設けられた突起部及び前記レールガイドと前記トレイに設けられ前記突起部が挿入される係止孔もしくは凹部によって係止手段を構成したことを特徴とする請求項１記載の光ディスク装置であり、筐体に孔などを設けなくても良いので、困難な加工を行う何時用が無く、しかも防塵作用も有する。
【００２５】
請求項８記載の発明は、筐体とトレイを出没自在とするように、前記筐体及びトレイとの間にレールが配置されるとともに、前記筐体にレールガイドが固定され、前記レールの両端部に設けられた係止孔及び前記レールガイドと前記トレイに設けられ前記係止孔に係止する突起部によって係止手段を構成したことを特徴とする請求項１記載の光ディスク装置であり、筐体へ施す加工を減らすことができ、生産性などを向上させることができる。
【００２６】
請求項９記載の発明は、レールガイドを樹脂材料で構成したことを特徴とする請求項７，８いずれか１記載の光ディスク装置であり、レールと筐体とのこすれによる屑の発生を防止できる。
【００２７】
請求項１０記載の発明は、請求項１〜９いずれか１記載の光ディスク装置と、入力部を有する本体部と、表示手段を搭載した表示部とを備え、前記表示部の上端部に前記光ディスク装置が装着されると共に、通常の使用により前記光ディスク装置のトレイが重力に抗して引き出されるように構成されたことを特徴とする電子機器であり、側方にトレイが突出することを防止できるので、側方における省スペース化を行うことができる。
【実施例１】
【００２８】
以下、本発明における光ディスク装置の実施例について説明する。
【００２９】
図１はそれぞれ本発明の一実施例における光ディスク装置を示す斜視図で、図１において、２１は一端部開口の袋状の筐体で、筐体２１は上部筐体部と下部筐体部２１ａを組み合わせて構成されている（なお、内部機構を観測可能にするために上部筐体は図１では省略している）。上部筐体部と下部筐体部２１ａとは好ましくは螺旋などを用いて、互いに強固に固定されている。筐体２１の構成材料としては鉄，鉄合金，アルミ，アルミ合金，マグネシウム合金などの金属材料や樹脂材料などによって構成される。また、上部筐体部及び下部筐体部２１ａそれぞれ同種の材料で構成しても良いし、異種の材料で構成しても良い。また、上部筐体部及び下部筐体部２１ａそれぞれの主平面部の平均肉厚は０．３ｍｍ〜１．６ｍｍの間であり、この平均肉厚の比較的薄い場合には上部筐体部及び下部筐体部２１ａは金属材料で構成され、例えば、金属板をプレス加工などによって形成される。また、平均肉厚の比較的厚い場合には上部筐体部及び下部筐体部２１ａは樹脂材料やダイカスト（アルミ，マグネシウム合金など）で構成される。筐体２１を樹脂材料で構成した場合には、光ディスク装置の軽量化を実現できる。
【００３０】
２２は筐体に出没自在に設けられたトレイで、トレイ２２は樹脂性のフレームで構成され、後述する各部が取り付けられている。２３はトレイ２２に設けられたスピンドルモータ、２４は光ピックで、光ピック２４は少なくとも図示していない光源や各光学部材を搭載し、光ディスクに光を照射することで、光ディスクに情報を書き込むか或いは情報を読み出す動作の少なくとも一方を行う。２５はトレイ２２の前端面に設けられたベゼルで、ベゼル２５はトレイ２２が筐体２１内に収納された時に、トレイ２２の出没口を塞ぐように構成されており、樹脂材料や金属材料で構成されている。３７，３８はそれぞれトレイ２２及び筐体２１の双方に摺動自在に取り付けられた断面略コ字型のレールで、トレイ２２の両側部にこのレール３７，３８は設けられており、このレール３７，３８にて図１で示す矢印Ｐ方向に筐体２１からトレイ２２が出没自在に取り付けられている。２８は筐体２１の奥部に固定して設けられた回路基板で、回路基板２８は信号処理系のＩＣや電源回路などが搭載されている。２９はトレイ２２に設けられた図示していない回路基板と回路基板２８とを電気的に接続するフレキシブルなプリント基板で、プリント基板２９は略Ｕ字型に形成され、３０は外部コネクタで、外部コネクタ３０はコンピュータ等の電子機器に設けられた電源／信号ラインと接続される。そして、この外部コネクタ３０を介して光ディスク装置内に電力を供給したり、或いは外部からの電気信号を光ディスク装置内に導いたり、あるいは光ディスク装置で生成された電気信号を電子機器などに送出する。
【００３１】
トレイ２２の前端面に設けられたベゼル２５にはイジェクトボタン３１が設けられており、このイジェクトスイッチ３１を押すことで、筐体２１に設けられた係合部（図示せず）とトレイ２２に設けられた係合部（図示せず）との係合を解除する。
【００３２】
３２はトレイ２２に可動自在に保持されたプッシュ板金で、プッシュ板金３２は図３で示す矢印Ｒ方向に図示していないスプリングなどの弾性手段によって付勢されている。
【００３３】
以下、本発明の特徴部分について説明する。
【００３４】
図１及び図２に示すように、レール３７，３８にはそれぞれ長孔３７ａ，３８ａが設けられており、長孔３７ａ，３８ａを挟むように略円形の係止孔３７ｂ，３７ｃ，３８ｂ，３８ｃが設けられている。なお、図２は、図１のＡ−Ａの断面及びＢ−Ｂの断面を示している係止孔３７ｂ，３７ｃ，３８ｂ，３８ｃは、レール３７，３８の両端部分に設けられている。なお、本実施例では、係止孔３７ｂ，３７ｃ，３８ｂ，３８ｃを略円形状としたが、方形状，三角形状，楕円形状など各種形状となるように形成しても良い。また、例えば係止孔３７ｂ，３７ｃは同形状としたが、異なる形状としても良い。また、トレイ２２
の両側部には、それぞれ係止孔３７ｂ，３８ｂに嵌り込む突起部４１，４２がそれぞれ設けられている。この突起部４１，４２はトレイ２２に一体形成されているが、この突起部４１，４２は別部材をトレイ２２の両側部に接着や埋め込んだりして構成しても良い。なお、好ましくは突起部４１，４２の外形形状は、嵌め込まれる係止孔３７ｂ，３８ｂと略同じ形状とすることが好ましい。さらに、突起部４１，４２はトレイ２２の引き出し方向と垂直な方向において、略同一位置に設けることが好ましい。
【００３５】
同様に、また、筐体２１の両内側部には、それぞれ係止孔３７ｃ，３８ｃに嵌り込む突起部３９，４０がそれぞれ設けられている。この突起部３９，４０は筐体２１に一体形成されているが、この突起部４１，４２は別部材を筐体２１の両内側部に接着や埋め込んだりして構成しても良いし、押し出し加工や絞り加工によって突起部３９，４０を筐体２１に一体に形成しても良い。なお、好ましくは突起部３９，４０の外形形状は、嵌め込まれる係止孔３７ｃ，３８ｃと略同じ形状とすることが好ましい。さらに、突起部３９，４０はトレイ２２の引き出し方向と垂直な方向において、略同一位置に設けることが好ましい。
【００３６】
以下、その動作について説明する。
【００３７】
トレイ２２を筐体２２に手動で挿入していくと、プッシュ板金３２の先端部３２ａが筐体２２の奥部２１ｃに当接する。更にトレイ２２を筐体２１に挿入していくと、プッシュ板金３２は弾性手段の弾性に抗してトレイ２２側に押し込まれる。更にこのプッシュ板金３２に取り付けられた弾性手段の弾性力に抗してほぼ完全にトレイ２２が筐体２１内に収納されるまでトレイ２２が筐体２１に挿入されると、前述の係合部同士が係合し、トレイ２２は筐体２１内部に収納されると共に、トレイ２２は筐体２１内部に保持され多少の外力ではトレイ２２は筐体２１から飛び出さない。
【００３８】
次に、イジェクトボタン３１を押下することで上記係合部間の係合が外れると、プッシュ板金３２は弾性手段の復元力によって奥部２１ｃを押してトレイ２２を筐体２１から所定量以上突出させ、その後手動にてトレイ２２を引き出す。このトレイ２２を引き出す際に長孔３７ａ，３８ａに突起部３９，４０，４１，４２が挿入された状態でレール３７，３８が移動する。そして、所定量トレイ２２が引き出されると、突起部３９は長孔３７ａを外れて、長孔３７ａと係止孔３７ｃの間の部分に当接しながら係止孔３７ｃに嵌り込む。同様に、突起部４０は係止孔３８ｃに、突起部４１は係止孔３７ｂに、突起部４２は係止孔３８ｂにそれぞれ嵌り込む。すると、係止孔３７ｃ，３８ｃ，３７ｂ，３８ｂの大きさは、突起部３９，４０，４１，４２の大きさと同じか多少大きさが上下しているので、レール３７，３８の一方の端部はトレイ２２に係止され、レール３７，３８の他方の端部は筐体２２に形成される。すると、引き出されたトレイ２２は筐体２１に対して、軽くロックされた状態となって、光ディスク（好ましくはベアの光ディスク）をスピンドルモータ２３に装着しやすくなる状態で、トレイ２２は筐体２１に対して保持される。
【００３９】
また、以上の構成によって、非常に薄い光ディスク装置を得ることができるので、薄型化を進める電子機器に搭載が容易であり、ローディング手段などを用いたタイプの光ディスク装置の様に厚みが厚くならない。
【００４０】
本実施例の様な光ディスク装置を図６に示すような電子機器に搭載した場合、特に有効か効果を発揮できる。すなわち、従来の技術では、図６の様な構成は、トレイ２２の自重によってトレイ２２は手で保持しておかなければ、光ディスクを挿入可能な状態には、保持できないが、図１，図２等に示す実施例の場合には、図６に示すようにトレイ２２を引き出して光ディスクが脱着しやすい状態にすると、上記各突起部や各係止孔などで構成される係止手段によって、トレイ２２は重力Ｇに抗して引き出されたとしても、トレイ２２
が光ディスク装着可能な状態で保持されるので、従来の様に、トレイ２２を片手で保持しておく必要はなく、光ディスクの装着性が悪くなることを防止できる。
【００４１】
なお、この仮係止手段の軽視する係止力は、少なくともトレイ２２の自重で筐体２１内に入り込まない程度以上とすることが好ましい。係止力は、各突起部の大きさ，各突起部の高さ，各突起部と各係止孔の大きさ関係，各突起部の構成材料等を変えることで容易に調整可能である。
【００４２】
光ディスクを装着した後は、トレイ２２を掴んで筐体２１の方に力を加えることで、突起部３９，４０，４１，４２は係止孔３７ｃ，３８ｃ，３７ｂ，３８ｂから外れ、長孔３７ａ，３８ａに入り込み、スムーズに筐体２１内に収納され、前述の家庭を経て、トレイ２２は筐体２１内に収納される。
【００４３】
なお、本実施例では、係止孔はレール３７，３８の端部にそれぞれ一つずつ設けたが、複数設けても良いし、その時には、突起部も複数設けても良い。すなわち、例えば、係止孔３７ｃの外側に更に別の係止孔を設け、筐体２１の内側部に２つ連続して突起部を設けても良い。また、突起部３９，４０，４１，４２とレール３７，３８の摩擦が小さいなどの理由によって、上記各突起部と各レールの摩擦があまり重要でない場合には、長孔３７ａ，３８ａは省略することもできる。しかしながら、通常摩耗によって、突起部或いはレールの摩耗屑が発生する可能性があるので、好ましくは、長孔３７ａ，３８ａを設けることが好ましい。
【００４４】
更に、本実施例では、レール３７，３８の双方に係止孔を設けたが、一方のレールにのみ設け、しかも一方のレールに対向する部分に突起部を設けても良い。
【００４５】
更に他の実施例として、図７に示すように、レール３７，３８に突起部３７ｄ，３８ｄ，３７ｅ，３８ｅを設けて、筐体２１にその突起部３７ｄ，３８ｄ，３７ｅ，３８ｅが嵌りあう、係止孔４３，４４（筐体２１）及び係止凹部４５，４６（トレイ２２）を設ける構成としても良い。
【００４６】
また、上記実施例においては、レール３７，３８は主に金属材料で構成され、しかも筐体２１も主に金属材料で構成されるので、レール３７，３８と筐体２１との摩擦によって、金属屑などが発生する可能性があるので、図８，図９に示すように、筐体２１の両内側部に突出片２１ｂをそれぞれ連続的或いは部分的に、しかも筐体２１と一体或いは別体に設け、この突出片２１ｂと筐体２１の底部との間に、プラスチックなどの樹脂材料（好ましくは低摩耗材料）で構成されたレールガイド５０，５１をはめあわせる格好で取り付ける。この様な構成によって、レール３７，３８と筐体２１は直接接触・摺動する確率が低くなるので、屑の発生などを防止でき、屑による不具合を解消することができる。
【００４７】
この実施例の様に、図８に示すように、レールガイド５０，５１を設けた場合には、筐体２１に突起部を設けるのではなく、レールガイド５０，５１に突起部５０ａ，５１ａを設ける構成としたので、比較的樹脂材料で構成されたレールガイド５０，５１は加工性が良いので、突起部５０ａ，５１ａを形成しやすくなり、生産性などを向上させることができ、しかも筐体２１に加工を施さなくても良いので、この点からも生産性などを向上させることができる。更に、図９に示すように、レール３７，３８に突起部３７ｄ，３８ｄを設けた場合には、その突起部３７ｄ、３８ｄが嵌り込む孔や凹部を筐体２１に設けるのではなく、レールガイド５０，５１に孔や凹部を設ける構成となる。この構成の場合には特に、筐体２１自体に凹部や孔を設けないので、筐体２１の強度低下を防止し、しかも困難な加工を施さなくても良く、しかも外部からの塵などの進入を防止できる。
【産業上の利用可能性】
【００４８】
本発明の光ディスク装置は、トレイを筐体から一時的に保持させることができるので、光ディスクの装着性が良くなる効果を有し、パーソナルコンピュータ，ノートブック型コンピュータなどの電子機器に適応できる。
【図面の簡単な説明】
【００４９】
【図１】本発明の一実施例における光ディスク装置を示す斜視図
【図２】本発明の一実施例における光ディスク装置を示す断面図
【図３】従来の光ディスク装置を示す斜視図
【図４】従来の光ディスク装置を示す断面図
【図５】光ディスク装置を電子機器に搭載した状態を示す図
【図６】光ディスク装置を電子機器に搭載した状態を示す図
【図７】本発明の他の実施例における光ディスク装置を示す断面図
【図８】本発明の他の実施例における光ディスク装置を示す断面図
【図９】本発明の他の実施例における光ディスク装置を示す断面図
【符号の説明】
【００５０】
２１    筐体
２２    トレイ
２３    スピンドルモータ
２４    光ピック
３３    電子機器
３４    本体部
３５    表示部
３６    光ディスク装置
３７，３８    レール
３７ａ，３８ａ    長孔
３７ｃ，３８ｃ，３７ｂ，３８ｂ，４３，４４，４５，４６    係止孔
３７ｄ，３８ｄ，３７ｅ，３８ｅ，３９，４０，４１，４２    突起部
５０，５１    レールガイド
【図１】
2005050432.tif 000003
【図２】
2005050432.tif 000004
【図３】
2005050432.tif 000005
【図４】
2005050432.tif 000006
【図５】
2005050432.tif 000007
【図６】
2005050432.tif 000008
【図７】
2005050432.tif 000009
【図８】
2005050432.tif 000010
【図９】
2005050432.tif 000011